(57)【特許請求の範囲】
【請求項１】
第１の円筒（１１０）、第２の円筒（１２０）、および複数の細長い導体（１３０）を備えるレセプタクルコネクタであって、
前記細長い導体（１３０）の一方の端部は、前記第１の円筒（１１０）に配置および接続され、前記細長い導体（１３０）の他方の端部は、前記第２の円筒（１２０）に配置および接続され、
前記複数の細長い導体（１３０）は、円周に配置され、互いに隔置され、したがって前記細長い導体（１３０）の間に、プラグ（２００）を挿入すべき内側空間（Ｓ）が画定され、
前記第１の円筒（１１０）は、前記第２の円筒（１２０）に対して回転可能であり、したがって前記細長い導体（１３０）はねじられて変形し、前記内側空間（Ｓ）に挿入された前記プラグ（２００）を締め付けて前記プラグ（２００）に電気的に接触させ、
前記第１の円筒（１１０）および前記第２の円筒（１２０）のうちの少なくとも１つは、導電性の金属円筒であり、
前記複数の細長い導体（１３０）の一方の端部が接続された第１のフランジ（１３１）を備える第１の円筒状部材と、
前記複数の細長い導体（１３０）の他方の端部が接続された第２のフランジ（１３２）を備える第２の円筒状部材とをさらに備え、
前記第１のフランジ（１３１）は、前記第１の円筒（１１０）の内壁に接続され、前記第２のフランジ（１３２）は、前記第２の円筒（１２０）の内壁に接続されており、
前記複数の細長い導体（１３０）の前記一方の端部は、前記第１の円筒（１１０）の前記内壁に対向する前記第１の円筒状部材の外側面に重なるように折り返されており、
前記複数の細長い導体（１３０）の前記他方の端部は、前記第２の円筒（１２０）の前記内壁に対向する前記第２の円筒状部材の外側面に重なるように折り返されている、
ことを特徴とするレセプタクルコネクタ。
【請求項２】
前記細長い導体（１３０）がねじられて変形していないとき、前記内側空間（Ｓ）の内径は前記プラグ（２００）の外径よりわずかに大きく、
前記プラグ（２００）は、前記細長い導体（１３０）がねじられて変形していないときに前記内側空間（Ｓ）に着脱され、したがって前記プラグ（２００）を着脱する力が最小になる、
請求項１に記載のレセプタクルコネクタ。
【請求項３】
前記細長い導体（１３０）がねじられて変形しているとき、前記内側空間（Ｓ）の前記内径は前記プラグ（２００）の前記外径よりわずかに小さく、したがって前記細長い導体（１３０）は、前記プラグ（２００）をしっかりと締め付けて前記プラグ（２００）に電気的に接触させるように適合されている、
請求項２に記載のレセプタクルコネクタ。
【請求項４】
前記細長い導体（１３０）は、均一の間隔をあけて前記円周に配置されている、
請求項１から３のいずれか一項に記載のレセプタクルコネクタ。
【請求項５】
前記第１の円筒（１１０）および前記第２の円筒（１２０）は、同じ内径を有している、
請求項１から４のいずれか一項に記載のレセプタクルコネクタ。
【請求項６】
前記第１の円筒（１１０）および前記第２の円筒（１２０）は、共通の中心軸を有している、
請求項１から５のいずれか一項に記載のレセプタクルコネクタ。
【請求項７】
前記第１の円筒（１１０）および前記第２の円筒（１２０）のうちの少なくとも１つは、電気絶縁性の円筒である、
請求項１から６のいずれか一項に記載のレセプタクルコネクタ。
【請求項８】
前記第１の円筒（１１０）および前記第２の円筒（１２０）のうちの一方は導電性の金属円筒であり、前記第１の円筒（１１０）および前記第２の円筒（１２０）のうちの他方は電気絶縁性の円筒である、
請求項１から７のいずれか一項に記載のレセプタクルコネクタ。
【請求項９】
絶縁ベースをさらに備え、前記第２の円筒（１２０）は前記絶縁ベースに固定されている、
請求項１から８のいずれか一項に記載のレセプタクルコネクタ。
【請求項１０】
請求項１から９のいずれか一項に記載のレセプタクルコネクタにプラグコネクタのプラグを挿入する方法であって、
前記細長い導体（１３０）がねじられて変形していない最初の状態にあるとき、前記レセプタクルコネクタ（１００）の前記細長い導体（１３０）によって画定された前記内側空間（Ｓ）に前記プラグコネクタの前記プラグ（２００）を挿入するステップと、
前記細長い導体（１３０）がねじられて変形し、前記内側空間（Ｓ）に挿入された前記プラグ（２００）を締め付けて前記プラグ（２００）に電気的に接触させるように、前記レセプタクルコネクタ（１００）の前記第１の円筒（１１０）を回転させるステップとを含む方法。
【請求項１１】
請求項１から９のいずれか一項に記載のレセプタクルコネクタからプラグコネクタのプラグを引き抜く方法であって、
前記細長い導体（１３０）がねじられて変形していない最初の状態に戻るように、前記レセプタクルコネクタ（１００）の前記第１の円筒（１１０）を回転させるステップと、
前記レセプタクルコネクタ（１００）から前記プラグコネクタの前記プラグ（２００）を引き抜くステップとを含む方法。
【発明の詳細な説明】
【技術分野】
【０００１】
関連出願の相互参照
本出願は、開示全体が参照により本明細書に組み込まれている、２０１７年７月１３日に中国国家知識産権局に出願された中国特許出願第２０１７１０５６９７０７．８号の利益を主張する。
【０００２】
本開示の少なくとも１つの実施形態は、レセプタクルコネクタ、レセプタクルコネクタにプラグコネクタを挿入する方法、およびレセプタクルコネクタからプラグコネクタを引き抜く方法に関する。
【背景技術】
【０００３】
関連技術では、レセプタクルコネクタは概して、絶縁ハウジングと、絶縁ハウジング内に設けられた少なくとも１つのコンタクトとを備える。絶縁ハウジング内に、挿入チャンバが画定される。レセプタクルコネクタに嵌合したプラグコネクタのプラグは、レセプタクルコネクタの挿入チャンバに挿入され、レセプタクルコネクタ内のコンタクトに電気的に接触するように適合される。
【０００４】
コンタクトは概して、固定部分と、固定部分に接続された弾性アームとを備える。コンタクトの固定部分は、絶縁ハウジングに固定される。弾性アームの端部には、突出したコンタクト点が形成される。そのようなコンタクトの製造は非常に時間がかかって高価であり、コネクタのコストを増大させる。
【０００５】
加えて、従来技術では、プラグコネクタのプラグとレセプタクルコネクタのコンタクトとの間の確実な電気コンタクトを保証するために、レセプタクルコネクタのコンタクトとプラグコネクタのプラグとの間に大きい弾性接触力を生成する必要があり、そのためレセプタクルコネクタにプラグコネクタを着脱するための力が増大し、プラグコネクタの着脱がますます困難になる。さらに、着脱中はコンタクトおよびプラグに深刻な摩耗を引き起こし、コネクタのサービス寿命が短くなる。
【発明の概要】
【発明が解決しようとする課題】
【０００６】
本開示は、前述の欠点の少なくとも１つの態様を克服または軽減するためになされたものである。
【課題を解決するための手段】
【０００７】
本開示の一態様によれば、第１の円筒、第２の円筒、および複数の細長い導体を備えるレセプタクルコネクタが提供される。細長い導体の一方の端部は、第１の円筒に配置および接続され、細長い導体の他方の端部は、第２の円筒に配置および接続されている。複数の細長い導体は、円周に配置され、互いに隔置され、したがって細長い導体の間に、プラグを挿入すべき内側空間が画定されている。第１の円筒は、第２の円筒に対して回転可能であり、したがって細長い導体はねじられて変形し、内側空間に挿入されたプラグを締め付けてプラグに電気的に接触させる。
【０００８】
本開示の例示的な実施形態によれば、細長い導体がねじられて変形していないとき、内側空間の内径はプラグの外径よりわずかに大きく、プラグは、細長い導体がねじられて変形していないときに内側空間に着脱され、したがってプラグを着脱する力が最小になる。
【０００９】
本開示の別の例示的な実施形態によれば、細長い導体がねじられて変形しているとき、内側空間の内径はプラグの外径よりわずかに小さく、したがって細長い導体は、プラグをしっかりと締め付けてプラグに電気的に接触させるように適合されている。
【００１０】
本開示の別の例示的な実施形態によれば、細長い導体は、均一の間隔をあけて円周に配置されている。
【００１１】
本開示の別の例示的な実施形態によれば、第１の円筒および第２の円筒は、同じ内径を有している。
【００１２】
本開示の別の例示的な実施形態によれば、第１の円筒および第２の円筒は、共通の中心軸を有している。
【００１３】
本開示の別の例示的な実施形態によれば、第１の円筒および第２の円筒のうちの少なくとも１つは、導電性の金属円筒である。
【００１４】
本開示の別の例示的な実施形態によれば、第１の円筒および第２の円筒のうちの少なくとも１つは、電気絶縁性の円筒である。
【００１５】
本開示の別の例示的な実施形態によれば、第１の円筒および第２の円筒のうちの一方は導電性の金属円筒であり、第１の円筒および第２の円筒のうちの他方は電気絶縁性の円筒である。
【００１６】
本開示の別の例示的な実施形態によれば、レセプタクルコネクタは、絶縁ベースをさらに備え、第２の円筒は絶縁ベースに固定されている。
【００１７】
本開示の別の例示的な実施形態によれば、レセプタクルコネクタは、複数の細長い導体の一方の端部が接続された第１のフランジと、複数の細長い導体の他方の端部が接続された第２のフランジとをさらに備えている。第１のフランジは、第１の円筒の内壁に接続され、第２のフランジは、第２の円筒の内壁に接続されている。
【００１８】
本開示の別の態様によれば、上記のレセプタクルコネクタにプラグコネクタのプラグを挿入する方法が提供され、この方法は、
細長い導体がねじられて変形していない最初の状態にあるとき、レセプタクルコネクタの細長い導体によって画定された内側空間にプラグコネクタのプラグを挿入するステップと、
細長い導体がねじられて変形し、内側空間に挿入されたプラグを締め付けてプラグに電気的に接触させるように、レセプタクルコネクタの第１の円筒を回転させるステップとを含む。
【００１９】
本開示の別の態様によれば、上記のレセプタクルコネクタからプラグコネクタのプラグを引き抜く方法が提供され、この方法は、
細長い導体がねじられて変形していない最初の状態に戻るように、レセプタクルコネクタの第１の円筒を回転させるステップと、
レセプタクルコネクタからプラグコネクタのプラグを引き抜くステップとを含む。
【００２０】
本開示の上記の様々な例示的な実施形態では、第１の円筒を第２の円筒に対して回転させることによって、細長い導体はねじられて変形し、挿入されたプラグを締め付けてプラグに電気的に接触する。したがって、本開示では、レセプタクルコネクタ内にコンタクトを設ける必要がなく、コストが節約される。
【００２１】
加えて、細長い導体がねじられて変形していないとき、細長い導体の周りに画定される内側空間の内径は、プラグの外径よりわずかに大きい。それによって、最小限の挿入力でプラグを内側空間に挿入することができ、または最小限の引っ張り力でプラグを内側空間から引き抜くことができ、プラグを着脱する難しさが低減する。
【００２２】
本開示の上記その他の特徴は、本開示の例示的な実施形態について添付の図面を参照して詳細に説明することによってより明らかになる。
【図面の簡単な説明】
【００２３】
【図１】本開示の例示的な実施形態によるレセプタクルコネクタの例示的な斜視図である。
【図２】図１のレセプタクルコネクタおよびレセプタクルコネクタに挿入されるプラグコネクタのプラグの例示的な斜視図である。
【図３】レセプタクルコネクタの複数の細長い導体および図２に示すプラグコネクタのプラグの例示的な斜視図である。
【図４】レセプタクルコネクタに図２のプラグを挿入する例示的な斜視図である。
【図５】レセプタクルコネクタの複数の細長い導体および図４に示すプラグコネクタのプラグの例示的な斜視図である。
【図６】図４のレセプタクルコネクタの第１の円筒を所定の角度だけ回転させるの例示的な図である。
【図７】レセプタクルコネクタの複数の細長い導体および図６に示すプラグコネクタのプラグの例示的な斜視図である。
【図８】ねじられて変形していない複数の細長い導体の例示的な斜視図である。
【図９】その軸方向に沿って見たときの図８の複数の細長い導体の例示的な平面図である。
【図１０】ねじられて変形している複数の細長い導体の例示的な斜視図である。
【図１１】その軸方向に沿って見たときの図１０の複数の細長い導体の例示的な平面図である。
【発明を実施するための形態】
【００２４】
以下、本開示の例示的な実施形態について、添付の図面を参照して詳細に説明する。添付の図面では、同じ参照番号が同様の要素を示す。しかし、本開示は多くの異なる形態で実施することができ、本明細書に記載の実施形態に限定されると解釈されるべきではなく、逆にこれらの実施形態は、本開示が徹底的かつ完全になり、本開示の概念を当業者に十分に伝えるように提供される。
【００２５】
以下の詳細な説明では、説明の目的で、開示する実施形態の徹底的な理解を提供するために、多数の具体的な詳細について述べる。しかし、これらの具体的な詳細がなくても１つまたは複数の実施形態を実施することができることは明らかである。他の例では、よく知られている構造およびデバイスは、図面を簡略化するために概略的に示す。
【００２６】
本開示の一般概念によれば、第１の円筒、第２の円筒、および複数の細長い導体を備えるレセプタクルコネクタが提供される。細長い導体の一方の端部は、第１の円筒に配置および接続され、細長い導体の他方の端部は、第２の円筒に配置および接続されている。複数の細長い導体は、円周に配置され、互いに隔置され、したがって細長い導体の間に、プラグを挿入すべき内側空間が画定されている。第１の円筒は、第２の円筒に対して回転可能であり、したがって第１の円筒を第２の円筒に対して回転させることによって、細長い導体はねじられて変形し、内側空間に挿入されたプラグを締め付けてプラグに電気的に接触させる。
【００２７】
図１は、本開示の例示的な実施形態によるレセプタクルコネクタの例示的な斜視図である。
【００２８】
図１に示すように、一実施形態では、レセプタクルコネクタは主に、第１の円筒１１０、第２の円筒１２０、および複数の細長い導体１３０を備える。細長い導体１３０の一方の端部は、第１の円筒１１０に配置および接続され、細長い導体１３０の他方の端部は、第２の円筒１２０に配置および接続されている。
【００２９】
図２は、図１のレセプタクルコネクタおよびレセプタクルコネクタに挿入されるプラグコネクタのプラグの例示的な斜視図であり、図３は、レセプタクルコネクタの複数の細長い導体および図２に示すプラグコネクタのプラグの例示的な斜視図であり、図４は、レセプタクルコネクタに図２のプラグを挿入する例示的な斜視図であり、図５は、レセプタクルコネクタの複数の細長い導体および図４に示すプラグコネクタのプラグの例示的な斜視図であり、図８は、ねじられて変形していない複数の細長い導体の例示的な斜視図である。
【００３０】
図１〜図５および図８に示すように、一実施形態では、複数の細長い導体１３０は、円周に配置され、規則的な間隔で互いに隔置され、したがって細長い導体１３０の間に、プラグ２００を挿入すべき内側空間Ｓ（図８参照）が画定されている。
【００３１】
図６は、図４のレセプタクルコネクタの第１の円筒を所定の角度だけ回転させるの例示的な図であり、図７は、レセプタクルコネクタの複数の細長い導体および図６に示すプラグコネクタのプラグの例示的な斜視図である。
【００３２】
図６〜図７に示すように、一実施形態では、第１の円筒１１０は、第２の円筒１２０に対して回転可能であり、したがって第１の円筒１１０を第２の円筒１２０に対して回転させることによって、細長い導体１３０はねじられて変形することが可能であり、内側空間Ｓに挿入されたプラグ２００を締め付けてプラグ２００に電気的に接触することが可能である。
【００３３】
図９は、その軸方向に沿って見たときの図８の複数の細長い導体の例示的な平面図である。
【００３４】
図２〜図５および図８〜図９に示すように、一実施形態では、細長い導体１３０がねじられて変形していないとき、内側空間Ｓの内径Ｄ１はプラグ２００の外径よりわずかに大きい。プラグ２００は、細長い導体１３０がねじられて変形していないときに内側空間Ｓに着脱され、したがってプラグ２００を着脱する力が最小になり、たとえばゼロに等しい。
【００３５】
図１０は、ねじられて変形している複数の細長い導体の例示的な斜視図であり、図１１は、その軸方向に沿って見たときの図１０の複数の細長い導体の例示的な平面図である。
【００３６】
図６〜図７および図１０〜図１１に示すように、一実施形態では、細長い導体１３０がねじられて変形しているとき、内側空間Ｓの内径Ｄ２はプラグ２００の外径よりわずかに小さく、したがってねじられて変形した細長い導体１３０は、プラグ２００をしっかりと締め付けてプラグ２００に電気的に接触することが可能である。
【００３７】
図８〜図９に示すように、一実施形態では、細長い導体１３０は、均一の間隔をあけて円周に配置されている。
【００３８】
図１に示すように、一実施形態では、第１の円筒１１０および第２の円筒１２０は、同じ内径を有している。
【００３９】
図１に示すように、一実施形態では、第１の円筒１１０および第２の円筒１２０は、共通の中心軸を有している。
【００４０】
図１に示すように、一実施形態では、第１の円筒１１０および第２の円筒１２０のうちの少なくとも１つは、導電性の金属円筒である。
【００４１】
図１に示すように、別の実施形態では、第１の円筒１１０および第２の円筒１２０のうちの少なくとも１つは、電気絶縁性の円筒である。
【００４２】
図１に示すように、別の実施形態では、第１の円筒１１０および第２の円筒１２０のうちの一方は導電性の金属円筒であり、第１の円筒１１０および第２の円筒１２０のうちの他方は電気絶縁性の円筒である。
【００４３】
図示しないが、本開示の例示的な実施形態では、レセプタクルコネクタは、絶縁ベースをさらに備えることができる。第２の円筒１２０は絶縁ベースに固定されている。
【００４４】
図２〜図３に示すように、別の実施形態では、レセプタクルコネクタは、第１のフランジ１３１および第２のフランジ１３２をさらに備えることができる。複数の細長い導体１３０の一方の端部は、第１のフランジ１３１に接続されている。複数の細長い導体１３０の他方の端部は、第２のフランジ１３２に接続されている。第１のフランジ１３１は、第１の円筒１１０の内壁に接続されている。第２のフランジ１３２は、第２の円筒１２０の内壁に接続されている。このようにして、複数の細長い導体１３０の一方の端部は第１の円筒１１０に接続され、他方の端部は第２の円筒１２０に接続されている。
【００４５】
以下、レセプタクルコネクタにプラグコネクタのプラグを挿入する方法について、図１〜図１１を参照して詳細に説明する。この方法は主に、
Ｓ１１０：図１〜図５および図８〜図９に示すように、細長い導体１３０がねじられて変形していない最初の状態にあるとき、レセプタクルコネクタ１００の細長い導体１３０によって画定された内側空間Ｓにプラグコネクタのプラグ２００を挿入するステップと、
Ｓ１２０：図６〜図７および図１０〜図１１に示すように、細長い導体１３０がねじられて変形し、内側空間Ｓに挿入されたプラグ２００を締め付けてプラグ２００に電気的に接触するように、レセプタクルコネクタ１００の第１の円筒１１０を回転させるステップとを含む。
【００４６】
以下、レセプタクルコネクタからプラグコネクタのプラグを引き抜く方法について、図１〜図１１を参照して詳細に説明する。この方法は主に、
Ｓ２１０：細長い導体１３０がねじられて変形していない最初の状態に戻るように、レセプタクルコネクタ１００の第１の円筒１１０を回転させるステップと、
Ｓ２２０：レセプタクルコネクタ１００からプラグコネクタのプラグ２００を引き抜くステップとを含む。
【００４７】
上記の実施形態は、制限ではなく説明を意図したものであることを、当業者には理解されたい。たとえば、当業者であれば、構造上または原理上矛盾することなく、上記の実施形態に多くの修正を加えることができ、異なる実施形態に記載する様々な特徴を互いに自由に組み合わせることができる。
【００４８】
いくつかの例示的な実施形態について図示および説明したが、本開示の原理および精神から逸脱することなく、これらの実施形態に様々な変更または修正を加えることができ、本開示の範囲は請求項およびその均等物に画定されることが、当業者には理解されよう。
【００４９】
本明細書では、「ａ」または「ａｎ」という単語に続いて単数形で記載されている要素は、そのような除外が明示的に示されていない限り、前記要素またはステップの複数を除外するものではないと理解されたい。さらに、本開示の「一実施形態」への言及は、記載の特徴を同様に組み込む追加の実施形態の存在を除外すると解釈されることを意図したものではない。さらに、逆の内容が明示的に示されていない限り、特定の特性を有する１つまたは複数の要素を「備える」または「有する」実施形態は、その特性を有していない追加のそのような要素を含むこともできる。
【図１】
0006946544.tif 000002
【図２】
0006946544.tif 000003
【図３】
0006946544.tif 000004
【図４】
0006946544.tif 000005
【図５】
0006946544.tif 000006
【図６】
0006946544.tif 000007
【図７】
0006946544.tif 000008
【図８】
0006946544.tif 000009
【図９】
0006946544.tif 000010
【図１０】
0006946544.tif 000011
【図１１】
0006946544.tif 000012